(57)【要約】      （修正有）【課題】ＬＥＤライトを用いて多彩な表示形態を実現し易い装飾体を提供する。【解決手段】架台などの基部と、基部に回転可能に設けた回転駆動部１７などの第１動作部と、表示部２１を有して第１動作部の回転に同期して駆動される円環状ケース１３などの第２動作部と、を備え、表示部２１はＬＥＤライト２３が点灯することで表示され、第１動作部の回転によりＬＥＤライト２３が点灯した状態で表示部２１が基部に対し動作するように構成されており、第２動作部の動作形態やＬＥＤライト２３の点灯形態が種々設定される。【選択図】図３
0003200514.tif 000002
【実用新案登録請求の範囲】
【請求項１】
基部と、前記基部に回転可能に設けられた第１動作部と、複数のＬＥＤライトによる表示部を有して前記第１動作部により駆動される第２動作部と、を備え、前記複数のＬＥＤライトを点灯しながら前記第１動作部の回転に同期して前記第２動作部が前記基部に対して動作する装飾体であり、
前記第１動作部は、前記基部に設けられて基部上で回転駆動される転動輪を有し、
前記第２動作部は、前記基部に回転自在に支持され、前記転動輪が前記第２動作部の底部に当接して転動することで回転駆動される、装飾体。
【請求項２】
前記複数のＬＥＤライトを制御するコントローラが前記第２動作部に設けられている、請求項１に記載の装飾体。
【請求項３】
基部と、前記基部に回転可能に設けられた第１動作部と、複数のＬＥＤライトによる表示部を有して前記第１動作部により駆動される第２動作部と、を備え、前記複数のＬＥＤライトを点灯しながら前記第１動作部の回転に同期して前記第２動作部が前記基部に対して動作する装飾体であり、
前記第２動作部は、透光性を有する外側部材と、前記外側部材の相似形状を有し外周面に前記複数のＬＥＤライトを装着して前記外側部材内に収容された内側部材と、を備える、装飾体。
【請求項４】
前記外側部材及び前記内側部材が、多面体形状に形成されて同軸に支持されている、請求項３に記載の装飾体。
【請求項５】
基部と、前記基部に回転可能に設けられた第１動作部と、ＬＥＤライトによる表示部を有して前記第１動作部により駆動される第２動作部と、を備え、前記ＬＥＤライトを点灯しながら前記第１動作部の回転に同期して前記第２動作部が前記基部に対して動作可能な装飾体であり、
前記第１動作部は、回転を往復動に変換する変換部を有し、
前記第２動作部は、前記変換部の往復動により上下する上下動部を有し、
前記上下動部は、前記第１動作部の回転に同期して上下動するスライドロットと、前記ＬＥＤライトが装着されて前記スライドロッドに配置されたキャラクタ表示部と、前記スライドロッドの自転を規制する自転規制部と、を有する、装飾体。
【請求項６】
前記第１動作部は回転駆動可能な回転板を有し、前記回転板は回転中心から離間した位置に前記上下動部を有し、前記変換部は前記上下動部の移動軌跡に対応する位置に波形カムを有し、前記スライドロットは前記波形カム上を走行する転動ローラを有し、前記自転規制部は一端側が前記回転板側に固定されるとともに他端側が前記スライドロッド側に固定されたローラーチェーンを有する、請求項５に記載の装飾体。
【請求項７】
前記スライドロッドの上端部には前記ＬＥＤライトの接続部を有し、前記キャラクタ表示部は前記スライドロッドの上端部を挿入することで装着可能であるとともに前記接続部と電気的に接続可能である、請求項５又は６に記載の装飾体。
【請求項８】
基部と、前記基部に回転可能に設けられた第１動作部と、ＬＥＤライトが点灯することで表示される表示部を有して前記第１動作部により駆動される第２動作部と、を備え、前記ＬＥＤライトが点灯した状態で前記第１動作部の回転に同期して前記第２動作部が前記基部に対して動作する装飾体であり、
前記第２動作部は、互いに同期して回転する一対の回転ホイールと、前記各回転ホイールの外周に吊り下げられて揺動自在な吊下体と、を備える、装飾体。
【考案の詳細な説明】
【技術分野】
【０００１】
本考案は、興趣に富むとともに装飾効果に優れた、人目を引く装飾体に関する。
【背景技術】
【０００２】
事業を営む会社、商店、社交場などは、広告や看板を用いて人目を引くように工夫している。人目を引く装飾体として、本出願人による特許文献１に開示された装飾体がある。その装飾体は、フレーム体に複数のＬＥＤランプが配列して装着されており、駆動体がフレーム体を回転駆動するように構成されている。
【先行技術文献】
【特許文献】
【０００３】
【特許文献１】実用新案登録第３１８９４８１号公報
【考案の概要】
【考案が解決しようとする課題】
【０００４】
従来、商品、サービスを提供する者が需要者のニーズに応じるための、自由度の高い装飾体が少なかった。
【０００５】
そこで、本考案はサービスの提供者及び需要者のニーズに応じて多彩な表示形態を実現し得る装飾体を提供することを目的とする。
【課題を解決するための手段】
【０００６】
上記目的を達成するために、本考案のコンセプトは次の通りである。
[１]基部と、前記基部に回転可能に設けられた第１動作部と、複数のＬＥＤライトによる表示部を有して前記第１動作部により駆動される第２動作部と、を備え、前記複数のＬＥＤライトを点灯しながら前記第１動作部の回転に同期して前記第２動作部が前記基部に対して動作する装飾体であり、
前記第１動作部は、前記基部に設けられて基部上で回転駆動される転動輪を有し、
前記第２動作部は、前記基部に回転自在に支持され、前記転動輪が前記第２動作部の底部に当接して転動することで回転駆動される装飾体。
[２]前記複数のＬＥＤライトを制御するコントローラが前記第２動作部に設けられている、前記[１]に記載の装飾体。
[３]基部と、前記基部に回転可能に設けられた第１動作部と、複数のＬＥＤライトによる表示部を有して前記第１動作部により駆動される第２動作部と、を備え、前記複数のＬＥＤライトを点灯しながら前記第１動作部の回転に同期して前記第２動作部が前記基部に対して動作する装飾体であり、
前記第２動作部は、透光性を有する外側部材と、前記外側部材の相似形状を有し外周面に前記複数のＬＥＤライトを装着して前記外側部材内に収容された内側部材と、を備える装飾体。
[４]前記外側部材及び前記内側部材が、多面体形状に形成されて同軸に支持されている、前記[３]に記載の装飾体。
[５]基部と、前記基部に回転可能に設けられた第１動作部と、ＬＥＤライトによる表示部を有して前記第１動作部により駆動される第２動作部と、を備え、前記ＬＥＤライトを点灯しながら前記第１動作部の回転に同期して前記第２動作部が前記基部に対して動作可能な装飾体であり、
前記第１動作部は、回転を往復動に変換する変換部を有し、
前記第２動作部は、前記変換部の往復動により上下する上下動部を有し、
前記上下動部は、前記第１動作部の回転に同期して上下動するスライドロットと、前記ＬＥＤライトが装着されて前記スライドロッドに配置されたキャラクタ表示部と、前記スライドロッドの自転を規制する自転規制部と、を有する装飾体。
[６]前記第１動作部は回転駆動可能な回転板を有し、前記回転板は回転中心から離間した位置に前記上下動部を有し、前記変換部は前記上下動部の移動軌跡に対応する位置に波形カムを有し、前記スライドロットは前記波形カム上を走行する転動ローラを有し、前記自転規制部は一端側が前記回転板側に固定されるとともに他端側が前記スライドロッド側に固定されたローラーチェーンを有する、前記[５]に記載の装飾体。
[７]前記スライドロッドの上端部には前記ＬＥＤライトの接続部を有し、前記キャラクタ表示部は前記スライドロッドの上端部を挿入することで装着可能であるとともに前記接続部と電気的に接続可能である、前記[５]又は[６]に記載の装飾体。
[８]基部と、前記基部に回転可能に設けられた第１動作部と、ＬＥＤライトが点灯することで表示される表示部を有して前記第１動作部により駆動される第２動作部と、を備え、前記ＬＥＤライトが点灯した状態で前記第１動作部の回転に同期して前記第２動作部が前記基部に対して動作する装飾体であり、
前記第２動作部は、互いに同期して回転する一対の回転ホイールと、前記各回転ホイールの外周に吊り下げられて揺動自在な吊下体と、を備える装飾体。
【考案の効果】
【０００７】
本考案によれば、第１動作部の回転に同期して駆動される第２動作部に表示部が設けられており、表示部がＬＥＤライトの点灯により表示されるので、第２動作部が第１動作部の回転により動作すると、ＬＥＤライトが点灯した状態で表示部が基部に対し動作することができる。そのため第１動作部の回転に同期した第２動作部の動作形態を種々設定したり、ＬＥＤライトの点灯形態を種々設定したりすることができ、多彩な表示形態が実現される。従って本考案によれば、ＬＥＤライトを用いて多彩な表示形態を実現し易い装飾体を提供することができる。
【図面の簡単な説明】
【０００８】
【図１】本考案の第１実施形態に係る装飾体の正面図である。
【図２】図１に示す回転駆動部とその周りを示す部分平面図である。
【図３】図１に示す装飾体の要部を示す拡大図である。
【図４】本考案の第２実施形態に係る装飾体の斜視図である。
【図５】図４に示す装飾体の断面図である。
【図６】本考案の第３実施形態に係る装飾体の一部を断面で示す斜視図である。
【図７】本考案の第４実施形態に係る装飾体の正面図である。
【図８】図７に示す装飾体の変換部及び上下動部を示す側面図である。
【図９】図７に示す装飾体の電気的接続部を示す部分断面図である。
【図１０】本考案の第５実施形態に係る装飾体の正面図である。
【図１１】本考案の第６実施形態に係る装飾体の正面図である。
【図１２】図１１に示す装飾体の側面図である。
【考案を実施するための形態】
【０００９】
以下、図面を参照しながら本考案の実施形態について詳細に説明する。
［第１実施形態］
図１は本考案の第１実施形態に係る点灯表示体の正面図である。第１実施形態に係る装飾体１０は、円柱状の架台１１と、架台１１の上部に回転可能に支持された円環状ケース１３と、円環状ケース１３の上部に円環状ケース１３と一体に回転可能に支持された中央ケース１５と、を備える。
【００１０】
図２は図１に示す回転駆動部１７とその周りを示す部分平面図、図３は図１に示す装飾体１０の要部を示す拡大図である。基部としての架台１１はその上部に、第１動作部としての回転駆動部１７が複数軸Ｌの周りに設けられ、その上部側に第２動作部としての円環状ケース１３が回転駆動部１７の回転に同期して軸線Ｌ周りに回転駆動可能に支持されている。
【００１１】
円環状ケース１３は、架台１１に回転自在に軸支されており、上向きに開放して設けられた収容部１９と、架台１１に対向して環状に連続するように設けられた平坦な底面１３ａと、を備えている。円環状ケース１３の中央には中央ケース１５が載置されており、中央ケース１５の上部側にも収容部１９が設けられている。収容部１９には各種嗜好品を収容した個別のケースを配置して、設置場所のサービス提供者に各種嗜好品を提供する。
【００１２】
表示部２１は円環状ケース１３の側周囲に設けられている。表示部２１は、円環状のケースに複数のＬＥＤライト２３を例えば周状に配列して構成されている。例えば、複数のＬＥＤライト２３が内側の反射面（図示せず）に周状に配列して設けられ、周状の透光性の外壁（図示せず）が反射面を囲むように設け、ＬＥＤライト２３がコントローラ２５に接続されてＬＥＤライト２３の点滅を制御する。このような構成により、様々なＬＥＤイルミネーションがカラフルに流れて華やかさを演出することができる。
【００１３】
コントローラ２５は円環状ケース１３の中央部の底部に設置されており、円環状ケース１３と共に回転する
【００１４】
回転駆動部１７は、軸線Ｌ周りの周方向の各位置に、架台１１に上向きに装着され、周方向に対して接線方向となるように転動可能な複数の転動輪２７と、任意の一又は複数の転動輪２７を回転駆動する駆動モータと、を備える。なお、駆動モータと接続されていない転動輪２７は回転自在としている。転動輪２７は外周が弾性を有するゴム等の弾性材料により形成され、転動輪２７の頂部が略同じ高さとなるよう駆動輪２７が配置されている。駆動輪２７は各円環状ケース１３の底面１３ａに当接していることにより、円環状ケース１３及び中央ケース１５が複数の転動輪２７の転動面で下支えされている。
【００１５】
以上のように構成された装飾体１０は、回転駆動部１７が回転することにより転動輪２７が回転駆動されて、駆動力が円環状ケース１３及び中央ケース１５の底部１３ａに伝達され、円環状ケース１３及び中央ケース１５に軸線Ｌを中心に回転する力が作用する。円環状ケース１３及び中央ケース１５が架台１１に回転自在に軸支されるとともに、他の転動輪２７により安定して支持されているため、駆動モータの回転に同期して円環状ケース１３及び中央ケース１５が軸線Ｌ周りに回転することができる。円環状ケース１３に固定されたコントローラ２５は、複数のＬＥＤライト２３の点灯を制御することで、表示部２１から光を放射しつつ円環状ケース１３及び中央ケース１５が回転する。
【００１６】
本考案の第１実施形態に係る装飾体１０によれば、回転駆動部１７の回転に同期して駆動される円環状ケース１３に表示部２１が設けられており、表示部２１がＬＥＤライト２３の点灯により表示される点灯表示構造を有している。よって、円環状ケース１３が回転駆動部１７の回転により動作すると、ＬＥＤライト２３が点灯した状態で表示部２１が架台１１に対し動作する。そのため、回転駆動部１７の回転に同期した円環状ケース１３の動作形態やＬＥＤライト２３の点灯形態を種々設定することで、多彩な表示形態を実現できる。
【００１７】
回転駆動部１７が、回転駆動される転動輪２７を有し、円環状ケース１３が架台１１に回転自在に支持され、転動輪２７が周囲に当接して転動することで回転駆動されるので、大きなケースであっても、簡易な構造で安定して回転させることができる。
【００１８】
ＬＥＤライト２３の点灯を制御するコントローラ２５が円環状ケース１３に設けられてＬＥＤライト２３とともに回転するので、コントローラ２５とＬＥＤライト２３との間の配線が円環状ケース１３の回転により捻れるおそれがなく、コントローラ２５とＬＥＤライト２３との間の配線及び接続が簡易になる。
【００１９】
［第２実施形態］
図４は本考案の第２実施形態に係る装飾体の斜視図であり、図５は図４に示す装飾体の断面図である。第２実施形態の装飾体１０は、基部としてのフレーム部２９と、フレーム部２９に回転自在に軸支された略円筒形状で透光性を有する材料により形成され、各種の絵、文字、図形等の意匠が付された第２動作部としての外側部材３１と、外側部材３１内に収容されて外側部材３１の相似形状となる略円筒形に形成され、外側部材３１と同軸に配置された内側部材３３と、内側部材３３の外周面に配置された多数のＬＥＤライト２３と、を備える。
【００２０】
フレーム部２９には第１動作部としての回転駆動部１７が、第２動作部としての外側部材３１及びその中に収容された内側部材３３に駆動力を付与可能に設けられている。この回転駆動部１７は、フレーム部２９に装着された駆動モータと、外周が弾性を有するゴム等の弾性材料により形成され、駆動モータと接続された状態で外側部材３１の外周面に当接するように配置された転動輪２７と、を備える。
【００２１】
装飾体１０では、フレーム部２９を壁や床に接地し、内側部材３３の多数のＬＥＤライト２３を点灯させた状態で、回転駆動部１７を回転させると、転動輪２７が外側部材３１の円周方向に回転し、転動輪２７の回転に同期して外側部材３１が軸線Ｌ周りに回転する。なお、内側部材３３は回転してもしなくてもよい。これにより、内側部材３３の複数のＬＥＤライト２３からの光によって、透光性の外側部材３１が内側から照射されて外側部材３１の表示部２１が明るく視認される。
【００２２】
第２の実施形態に係る装飾体１０であっても、回転駆動部１７の回転に同期して回転する外側部材３１の動作形態や、ＬＥＤライト２３の点灯形態を種々設定することで、多彩な表示形態を実現することができる。
【００２３】
また、透光性の外側部材３１内に相似形状の内側部材３３が収容され、内側部材３３の外周面に多数のＬＥＤライト２３が装着されているので、内側部材３３の外周面に装着された多数のＬＥＤライト２３からの光が、透光性を有する外側部材３１を透過して外部に放出される際、多数のＬＥＤライト２３から外側部材３１に均等な距離で照射でき、外側部材３１の外周全体から均等に光を放出することが可能で、外観品質を向上することができる。
【００２４】
［第３実施形態］
図６は本考案の第３実施形態に係る装飾体の一部を断面で示す斜視図である。第３実施形態の装飾体１０は、図６に示すように、基部としての架台１１と、架台１１に設けられた第１動作部としての回転駆動部１７と、回転駆動部１７の軸体３５に支持されて多角形形状、具体的には略立方体形状を有する透光性の外側部材３１と、外側部材３１内に収容された状態で外側部材３１の中心に配置されて外側部材３１と略相似形状の略立方体形状を有する内側部材３３と、内側部材３３の外周面全体に面状に配置された多数のＬＥＤライト２３と、を備える。
【００２５】
第２動作部としての外側部材３１及び内側部材３３は、重心を通り対角線方向に配置されて略鉛直方向に配設された回転駆動部１７の軸体３５に同軸に支持され、同じ向きで各面同士の間の間隔を略均等にして固定されており、外側部材３１及び内側部材３３の両方が軸体３５とともに回転可能となっている。
【００２６】
この装飾体１０では、架台１１を壁に接地し、内側部材３３の多数のＬＥＤライト２３を点灯させた状態で、回転駆動部１７の軸体３５を回転させると、回転駆動部１７の回転に同期して外側部材３１及び内側部材３３が軸線Ｌ周りに回転する。
【００２７】
よって、内側部材３３の多数のＬＥＤライト２３からの光により、透光性の外側部材３１が内側から照射されて、外側部材３１の表面全体の表示部が均等に明るく視認される。
【００２８】
第３の実施形態に係る装飾体１０においても、回転駆動部１７の回転に同期して回転する外側部材３１及び内側部材３３の動作形態や、ＬＥＤライト２３の点灯形態を種々設定することで、多彩な表示形態を実現することができる。
【００２９】
透光性の外側部材３１内に相似形状の内側部材３３が収容され、内側部材３３の外周面に多数のＬＥＤライト２３が装着され、その光により透光性を有する外側部材３１の内側全体が均等に照射される。よって、外側部材３１の外周全体から均等に光を放出することができ、装飾体の外観品質が向上する。
【００３０】
外側部材３１及び内側部材３３は、立方体や直方体などの多面体形状に形成されて同軸に回転可能に支持されている。各縁部同士を対応する位置に配置することができ、各面同士を対応する位置に配置できるため、多角形の外側部材３１の各面からより均等に光を放射することができ、外観品質が一層向上する。
【００３１】
［第４実施形態］
図７は本考案の第４実施形態に係る装飾体の正面図、図８は図７に示す装飾体の変換部及び上下動部を示す側面図、図９は図７に示す装飾体の電気的接続部を示す部分断面図である。本考案の第４第４実施形態に係る装飾体１０は、基部としての架台１１と、架台１１上に回転駆動可能に設けられた第１動作部としての円柱部４１と、円柱部４１の上方に突設された中央部材４３と、中央部材４３の周囲に分散配置され円柱部４１の回転に伴って上下動する第２動作部としての複数の上下動部４５と、を備える。
【００３２】
円柱部４１には、上面に回転板４２が設けられるとともに、内部に回転駆動部１７が設けられ、さらに回転駆動部１７の回転を往復動に変換するための変換部４７が設けられている。変換部４７は、回転板４２とともに上下動部４５が回転する移動軌跡に対応する架台１１上の位置に、周方向に連続又は間欠配置された波形カム４９を備えている。
【００３３】
各上下動部４５は、回転板４２を貫通して上下動可能に支持され、回転板４２の回転に同期して上下に往復動するスライドロッド５１と、ＬＥＤライト２３が装着され回転板４２より上方となるようにスライドロッド５１の上端に装着された表示部としてのキャラクタ表示部５３と、回転板４２より下方となるようにスライドロッド５１に装着されて波形カム４９上を転動可能な転動ローラ５５と、スライドロッド５１及び転動ローラ５５の自転を規制する自転規制部５７と、を有している。
【００３４】
スライドロッド５１は、回転板４２に設けられた貫通穴に軸受けなどを介して軸方向に移動可能で、径方向及び周方向には移動不能に支持されている。
【００３５】
自転規制部５７は、長手方向に対して直交する一軸方向のみに変形自在なローラーチェーン５９によりキャラクタ表示部５３側の部材と転動ローラ５５側の部材とを連結することで構成されている。ローラーチェーン５９の一端側は回転板４２側に固定されるとともに、他端側はスライドロッド５１側に固定されている。回転板４２側ではローラーチェーン５９を回転板４２に直接固定してもよく、回転板４２に対して相対移動しない部材に固定していてもよい。また、スライドロッド５１側ではローラーチェーン５９をスライドロッド５１に直接固定していてもよく、スライドロッド５１に対して相対回動しない部材に固定していてもよい。
【００３６】
円柱部４１には、各キャラクタ表示部５３に装着されたＬＥＤライト２３の点灯を制御するコントローラ２５が設けられており、各スライドロッド５１の転動ローラ５５を転動自在に支持する支持部６１から、スライドロッド５１内を経由して配線６３が設けられている。
【００３７】
スライドロッド５１の上端部には、配線６３が接続されたＬＥＤライト２３の接続部６５が設けられている。一方、キャラクタ表示部５３には、スライドロッド５１を挿入することで装着可能であって接続部６５が接続される被接続部６７を備えた装着穴６９が設けられている。装着穴６９にスライドロッド５１の上端部を挿入することでキャラクタ表示部５３を所定位置に配置するとともに、キャラクタ表示部５３内のＬＥＤライト２３を接続部６５に電気的に接続することができる。
【００３８】
第４実施形態に係る装飾体１０では、各キャラクタ表示部５３のＬＥＤライト２３を適宜制御して点灯させた状態で、回転駆動部１７により円柱部４１を軸線Ｌ周りに回転させると、回転板４２が回転し、各上下動部４５がそれぞれ軸線Ｌ周りに回転する。回転板４２の回転により各スライドロッド５１が軸線Ｌの周りを周方向に移動し、これに伴いスライドロッド５１の下端に設けられた転動ローラ５５が架台１１の上面を転動して移動する。そして転動ローラ５５が波形カム４９上を通過する際に、波形カム４９のカム面に沿ってスライドロッド５１が上下動し、これにより各スライドロッド５１の上端に設けられたキャラクタ表示部５３が上下動する。
【００３９】
各上下動部４５が移動する際、各スライドロッド５１を自転させる方向の力が作用することがある。しかしながら、回転板４２側とスライドロッド５１側とがローラーチェーン５９により上下方向に相対変位自在で且つ自転方向に変位不能に連結されている。そのため、各スライドロッド５１及びキャラクタ表示部５３の自転を防止しつつ上下動を繰り返す動作を行える。
【００４０】
これにより、ＬＥＤライト２３を点灯した状態の複数のキャラクタ表示部５３が軸線Ｌを中心に回転し、それぞれ周方向に移動しつつ上下動を繰り返す動作を実行できる。
【００４１】
よって、第４の実施形態に係る装飾体１０は、前述のような点灯表示部２１を備えていても、円柱部４１の回転に同期した上下動部４５の動作形態及びＬＥＤライト２３の点灯形態を種々設定することで、ＬＥＤライト２３を用いた点灯表示体１０の多彩な表示形態を実現できる。
【００４２】
本実施形態では、キャラクタ表示部５３が上端に配置されて上下に往復動しつつ移動するスライドロッド５１の自転を規制するための自転規制部５７を有している。従って、繰り返し往復上下動させても、スライドロッド５１が自転して向きが変わるようなことがなく、外観を確保できる。
【００４３】
この点灯表示部２１では、回転板４２に配置された上下動部４５の移動軌跡に対応する位置に、変換部４７の波形カム４９が配置されている。また、各上下動部４５が回転板４２に上下動可能に支持されたスライドロッド５１を有し、スライドロッド５１の下部の転動ローラ５５が波形カム４９上を転動できる。よって、回転板４２を回転させることで、キャラクタ表示部５３を周方向に移動させながら上下動させることができ、簡素な構成で優れた動作形態及び点灯形態を実現できる。自転規制部５７が回転板４２側とスライドロッド５１側とに両端を固定したローラーチェーン５９により構成されているので、自転規制部５７を軽量に且つ簡素な構造で形成できる。
【００４４】
スライドロッド５１の上端部にＬＥＤライト２３の接続部６５が設けられ、キャラクタ表示部５３には、スライドロッド５１を挿入することで装着して接続部６５を接続できる装着穴６９が設けられている。よって、キャラクタ表示部５３を容易に装着することができる。
【００４５】
［第５実施形態］
図１０は、本考案の第５実施形態に係る装飾体の正面図である。第５実施形態の装飾体１０は、外周に図柄等が設けられた基部としての架台１１と、架台１１に配設された第１動作部としての回転駆動部１７の回転を往復動に変換する変換部４７と、変換された往復動により上下する第２動作部としての上下動部４５を備える。上下動部４５は、回転駆動部１７の回転に同期して上下動するスライドロッド５１と、ＬＥＤライト２３が装着されてスライドロッド５１の上端に配置されたキャラクタ表示部５３と、スライドロッド５１の自転を規制する自転規制部５７と、を有する。
【００４６】
スライドロッド５１は、架台１１に設けた支持部７１に上下動自在に支持され、上端のブラケット７３にキャラクタ表示部５３が取り付けられている。変換部４７は、架台１１に配設された回転駆動部１７と、回転駆動部１７により回転する回転板４２の回転中心から偏芯した位置とスライドロッド５１とをリンク機構７５により連結した構造を有している。
【００４７】
自転規制部５７は、ブラケット７３に固定されてスライドロッド５１と平行に配置されたガイドロッド７７を有しており、架台１１に設けられたガイド孔によりガイドロッド７７が軸方向に移動可能に支持されている。
【００４８】
このような装飾体１０では、回転駆動部１７を回転させるとスライドロッド５１が上下動し、これによりＬＥＤライト２３が点灯された状態で、キャラクタ表示部５３が上下動して外部から視認される。
【００４９】
このとき、ガイドロッド７７がガイド孔により案内されて上下動するため、スライドロッド５１やキャラクタ表示部５３が自転するようなことがない。
【００５０】
以上のように、回転駆動部１７の回転に同期した上下動部４５の動作形態やＬＥＤライト２３の点灯形態を種々設定することで、ＬＥＤライト２３を用いた装飾体１０の多彩な表示形態を実現できる。
【００５１】
キャラクタ表示部５３が上端に配置されて上下動するスライドロッド５１の自転が自転規制部５７により規制されているので、繰り返し上下動させても、スライドロッド５１及びキャラクタ表示部５３が自転して向きが変わるようなことがなく、興趣に富み又は装飾性に優れた外観を確保できる。
【００５２】
［第６実施形態］
図１１は本考案の第６実施形態に係る装飾体の正面図、図１２は図１１に示す装飾体の側面図である。第６実施形態の装飾体１０は、基部としての脚部８１と、脚部８１の上部に設けられた第１動作部としての回転駆動部１７と、回転駆動部１７と連結されて脚部８１を挟んで一対設けられた第２動作部としての回転ホイール８３と、を備える。
【００５３】
回転駆動部１７は、駆動モータにより回転駆動される一対の軸部８５を有し、一対の回転ホイール８３を軸部８５の回転に同期させて回転させるように構成されている。一対の回転ホイール８３は、それぞれ外周部分に複数の吊下体８７が揺動自在に吊下状態で配置されている。また各回転ホイール８３にはそれぞれ複数のＬＥＤライト２３が装着されており、脚部８１から軸部８５を経由して各回転ホイール８３のＬＥＤライト２３まで配線されている。
【００５４】
第６実施形態に係る装飾体１０では、回転駆動部１７の軸部８５が回転することで、一対の回転ホイール８３のＬＥＤライト２３が点灯制御した状態で、各回転ホイール８３が互いに同期して一方向きに回転駆動される。このとき各吊下体８７は常時下向きに配置された状態で保たれ、ＬＥＤライト２３の光とともに視認される。
【００５５】
よって、かかる装飾体１０であっても、ＬＥＤライト２３を点灯させ、駆動モータの回転に同期させて一対の回転ホイール８３を互いに同期させて回転しているので、回転ホイール８３の動作形態やＬＥＤライト２３の点灯形態を種々設定することで、ＬＥＤライト２３を用いた装飾体１０の多彩な表示形態を実現することができる。
【００５６】
上記各実施形態では、同様の構成について同じ符号を用いている。
各実施形態の構成は本考案の範囲内において適宜変更可能である。例えば、上記各実施形態では、ＬＥＤライト２３を表示部２１やキャラクタ表示部５３に装着した例について説明したが、特に限定されるものではなく、他の部位に配置されたＬＥＤランプにより表示部２１やキャラクタ表示部５３を照射して表示するようにしてもよい。
【符号の説明】
【００５７】
Ｌ  軸線
１０  装飾体
１１  架台（基部）
１３  円環状ケース（第２動作部）
１３ａ  底面
１５  中央ケース
１７  回転駆動部（第１動作部）
１９  収容部
２１  表示部
２３  ＬＥＤライト
２５  コントローラ
２７  転動輪
２９  フレーム部
３１  外側部材
３３  内側部材
３５  軸体
４１  円柱部
４２  回転板
４３  中央部材
４５  上下動部
４７  変換部
４９  波形カム
５１  スライドロッド
５３  キャラクタ表示部
５５  転動ローラ
５７  自転規制部
５９  ローラーチェーン
６１  支持部
６３  配線
６５  接続部
６７  被接続部
６９  装着穴
７１  支持部
７３  ブラケット
７５  リンク機構
７７  ガイドロッド
８１  脚部
８３  回転ホイール
８５  軸部
８７  吊下体
【図１】
0003200514.tif 000003
【図２】
0003200514.tif 000004
【図３】
0003200514.tif 000005
【図４】
0003200514.tif 000006
【図５】
0003200514.tif 000007
【図６】
0003200514.tif 000008
【図７】
0003200514.tif 000009
【図８】
0003200514.tif 000010
【図９】
0003200514.tif 000011
【図１０】
0003200514.tif 000012
【図１１】
0003200514.tif 000013
【図１２】
0003200514.tif 000014